【手続補正書】
【提出日】平成17年7月11日(2005.7.11)
【手続補正１】
【補正対象書類名】明細書
【補正対象項目名】発明の名称
【補正方法】変更
【補正の内容】
【発明の名称】インクジェット記録装置および記録方法
【手続補正２】
【補正対象書類名】明細書
【補正対象項目名】特許請求の範囲
【補正方法】変更
【補正の内容】
【特許請求の範囲】
【請求項１】
記録データに基づきインクを吐出するインク吐出部と、
前記インク吐出部から吐出されたインクを受け、当該受けたインクの画像を記録媒体に転写するための中間転写体とを具え、
前記中間転写体の表面は、水との接触角が相対的に大きい部分と、水との接触角が相対的に小さい部分とを具えることを特徴とするインクジェット記録装置。
【請求項２】
前記水との接触角が小さい部分は、前記インク吐出部から吐出されるインクの記録密度と同程度の密度で前記中間転写体表面に分布していることを特徴とする請求項１に記載のインクジェット記録装置。
【請求項３】
前記水との接触角が大きい部分は、水との接触角が９０°以上であることを特徴とする請求項１に記載のインクジェット記録装置。
【請求項４】
前記水との接触角が小さい部分は、円形または楕円形であることを特徴とする請求項１に記載のインクジェット記録装置。
【請求項５】
前記水との接触角が大きい部分は、撥水性材料で構成されていることを特徴とする請求項１に記載のインクジェット記録装置。
【請求項６】
前記水との接触角が小さい部分は、前記水との接触角が大きい部分に比べて窪んでいることを特徴とする請求項１に記載のインクジェット記録装置。
【請求項７】
前記インク吐出部は、熱エネルギーを用いてインク中に気泡を発生させ、該気泡の生成圧力によってインクを吐出することを特徴とする請求項１ないし６のいずれかに記載のインクジェット記録装置。
【請求項８】
前記中間転写体の表面は、フッ素ゴムあるいはシリコーンゴムを含むことを特徴とする請求項１に記載のインクジェット記録装置。
【請求項９】
インクを吐出するための記録ヘッドと、
前記記録ヘッドから吐出されたインクを受け、当該受けたインクの画像を記録媒体に転写するための中間転写体とを具え、
前記中間転写体の表面が、第１部分と、前記第１部分よりも水との接触角が小さい第２部分とを有することを特徴とするインクジェット記録装置。
【請求項１０】
中間転写体に対して記録ヘッドからインクを吐出して画像を形成する工程と、
前記中間転写体上に形成された画像を記録媒体に転写する工程とを有し、
前記中間転写体の表面が、第１部分と、前記第１部分よりも水との接触角が小さい第２部分とを有することを特徴とするインクジェット記録方法。
【請求項１１】
フッ素ゴムあるいはシリコーンゴムを含む表面を有する中間転写体に対して表面処理を行う工程と、
前記表面処理が行われた中間転写体に対して記録ヘッドからインクを吐出して画像を形成する工程と、
前記中間転写体上に形成された画像を記録媒体に転写する工程とを有し、
前記表面処理が行われた中間転写体の表面は、第１部分と、前記第１部分よりも水との接触角が小さい第２部分とを有することを特徴とするインクジェット記録方法。
【請求項１２】
前記表面処理は、プラズマ処理あるいはコロナ処理であることを特徴とする請求項１１に記載のインクジェット記録方法。
【請求項１３】
シリコーンゴムからなる表面を有する中間転写体に対してプラズマ処理を行う工程と、
前記プラズマ処理が行われた中間転写体に対して記録ヘッドからインクを吐出して画像を形成する工程と、
前記中間転写体上に形成された画像を記録媒体に転写する工程とを有し、
前記プラズマ処理が行われた中間転写体の表面は、第１部分と、前記第１部分よりも水との接触角が小さい第２部分とを有することを特徴とするインクジェット記録方法。
【手続補正３】
【補正対象書類名】明細書
【補正対象項目名】０００１
【補正方法】変更
【補正の内容】
【０００１】
【発明の属する技術分野】
本発明は、記録ヘッド等からインクを吐出して記録を行うインクジェット記録装置およびインクジェット記録方法に関し、詳しくは、記録ヘッドから吐出されたインクを一旦中間転写体に付着させ、中間転写体にインク画像を形成し、この中間転写体上のインク画像を記録媒体に転写することにより記録を行うインクジェット記録装置およびインクジェット記録方法に関する。
【手続補正４】
【補正対象書類名】明細書
【補正対象項目名】００１１
【補正方法】変更
【補正の内容】
【００１１】
【課題を解決するための手段】
本発明の第１の形態は、記録データに基づきインクを吐出するインク吐出部と、前記インク吐出部から吐出されたインクを受け、当該受けたインクの画像を記録媒体に転写するための中間転写体とを具え、前記中間転写体の表面は、水との接触角が相対的に大きい部分と、水との接触角が相対的に小さい部分とを具えることを特徴とするインクジェット記録装置である。
本発明の第２の形態は、インクを吐出するための記録ヘッドと、前記記録ヘッドから吐出されたインクを受け、当該受けたインクの画像を記録媒体に転写するための中間転写体とを具え、前記中間転写体の表面が、第１部分と、前記第１部分よりも水との接触角が小さい第２部分とを有することを特徴とするインクジェット記録装置である。
本発明の第３の形態は、中間転写体に対して記録ヘッドからインクを吐出して画像を形成する工程と、前記中間転写体上に形成された画像を記録媒体に転写する工程とを有し、
前記中間転写体の表面が、第１部分と、前記第１部分よりも水との接触角が小さい第２部分とを有することを特徴とするインクジェット記録方法である。
本発明の第４の形態は、フッ素ゴムあるいはシリコーンゴムを含む表面を有する中間転写体に対して表面処理を行う工程と、前記表面処理が行われた中間転写体に対して記録ヘッドからインクを吐出して画像を形成する工程と、前記中間転写体上に形成された画像を記録媒体に転写する工程とを有し、前記表面処理が行われた中間転写体の表面は、第１部分と、前記第１部分よりも水との接触角が小さい第２部分とを有することを特徴とするインクジェット記録方法である。
本発明の第５の形態は、シリコーンゴムからなる表面を有する中間転写体に対してプラズマ処理を行う工程と、前記プラズマ処理が行われた中間転写体に対して記録ヘッドからインクを吐出して画像を形成する工程と、前記中間転写体上に形成された画像を記録媒体に転写する工程とを有し、前記プラズマ処理が行われた中間転写体の表面は、第１部分と、前記第１部分よりも水との接触角が小さい第２部分とを有することを特徴とするインクジェット記録方法である。
【手続補正５】
【補正対象書類名】明細書
【補正対象項目名】００１２
【補正方法】変更
【補正の内容】
【００１２】
本発明によれば、中間転写体の表面に水との接触角が相対的に大きい部分と水との接触角が相対的に小さい部分とを設けるようにしたため、中間転写体上での着弾ドットの位置ズレが少なくなり、中間転写体から記録媒体に転写した後の画像を高品位にすることができる。
【手続補正６】
【補正対象書類名】明細書
【補正対象項目名】００７０
【補正方法】変更
【補正の内容】
【００７０】
【発明の効果】
本発明によれば、中間転写体の表面に水との接触角が相対的に大きい部分と水との接触角が相対的に小さい部分とを設けるようにしたため、中間転写体上での着弾ドットの位置ズレが少なくなり、中間転写体から記録媒体に転写した後の画像を高品位にすることができる。